(57)【要約】   【課題】      戸棚内の器物の出し入れの際に、都度把手を手で持ちながら扉を閉め、施錠しなくても、扉の何処かを押すことで自動的に施錠されるセルフロック式カンヌキ錠の提供を目的とする。  【解決手段】      観音扉の一方に取り付けられるレバー側カンヌキ錠１は、レバー取付け部材２と、このレバー取付け部材２に回動自在に、且つレバー受け部材１０の方向に付勢されて軸支されるカンヌキレバー６と、このカンヌキレバー６の回動軌道中に配置され、この軌道と直角方向に扉Ｘ側に付勢された状態で中間部にて軸支され、扉の開閉に連動してカンヌキレバー６の軌道を遮断／開通するストッパー突起１２１を後端に有し、先端には他方の扉Ｙに当たる接触子１３を有するカンヌキレバー抑止部材１２とを備えていて、      他方の扉に取り付けられるレバー受け側カンヌキ錠１００は、カンヌキレバー受け    取付部材１１と、把手９を備えたカンヌキレバー受け部材１０とで構成されている。  【選択図】  図１
0003138479.tif 000002
【実用新案登録請求の範囲】
【請求項１】
観音開き扉の一方の扉Ｘに取り付けられ、カンヌキとなるカンヌキレバー６とその把手７を有するレバー側カンヌキ錠１と、他方の扉Ｙに取り付けられ、前記カンヌキレバー６を受けるレバー受部材１０とその把手９を備えたレバー受け側カンヌキ錠１００とからなるカンヌキ錠において、
レバー側カンヌキ錠１は、一方の扉に取り付けられるレバー取付け部材２と、この
レバー取付け部材２に回動自在に、且つレバー受け部材１０の方向に付勢されて軸支されるカンヌキレバー６と、このカンヌキレバー６の回動軌道中に配置され、この軌道と直角方向に扉Ｘ側に付勢された状態で中間部で軸支され、扉の開閉に連動してカンヌキレバー６の軌道を遮断／開通するストッパー突起１２１を後端に有し、先端には他方の扉Ｙに当たる接触子１３を有するカンヌキレバー抑止部材１２とを備えていて、
レバー受け側カンヌキ錠１００は、他方の扉に取り付けられるカンヌキレバー受け
取付部材１１と、把手9を備えたカンヌキレバー受け部材１０とからなり、
扉が閉じている状態で、把手７を回動して、カンヌキレバー６がストッパー突起１
２１を過ぎったら扉Ｘを手前に引いて開くとストッパー突起１２１が競り上がって
カンヌキレバー６のストッパーとなってその戻り軌道を塞ぎ、扉Ｙを閉めた後に扉Ｘ
を閉めると、接触子１３が扉Ｙに当たり押し戻されることによってストッパー突起１
２１が下がってカンヌキレバー６の戻り軌道のストッパーが解除されてカンヌキレバ
ー６が戻り軌道を通ってカンヌキレバー受け部材１０内に自動的に納まることを特
徴とするセルフロック式カンヌキ錠。
【請求項２】
レバー側カンヌキ錠１及びレバー受け側カンヌキ錠１００の取付け位置とそのとき
の接触子１３の位置を示す取り付け位置補助台紙５０を備えたことを特徴とする請求項１記載のセルフロック式カンヌキ錠。
【考案の詳細な説明】
【技術分野】
【０００１】
本考案は、食器用戸棚のセルフロック式カンヌキ錠に関するものである。
【背景技術】
【０００２】
これまでのセルフロック式カンヌキ錠では、戸棚の扉を閉める際はその都度手を用いて把手を操作しながら施錠しなければならないと言う欠点があった（例えば、実用新案登録第３１２８４５８号参照）。
【考案の開示】
【考案が解決しようとする課題】
【０００３】
本考案は上記の欠点を解決するためになされたものであって、戸棚内の器物の収納に当たって、その出し入れの際にその都度把手を手で持ちながら扉を閉め、施錠しなくても、扉の何処かを軽く押すことで扉が移動して閉まると同時に自動的に施錠が出来るセルフロック式カンヌキ錠を提供することを目的とするものである。
【課題を解決するための手段】
【０００４】
上記目的を達成するために、第一考案は観音開き扉の一方の扉Ｘに取り付けられ、カンヌキとなるカンヌキレバー６とその把手７を有するレバー側カンヌキ錠１と、他方の扉Ｙに取り付けられ、前記カンヌキレバー６を受けるレバー受部材１０とその把手９を備えたレバー受け側カンヌキ錠１００とからなるカンヌキ錠において、
レバー側カンヌキ錠１は、一方の扉に取り付けられるレバー取付け部材２と、この
レバー取付け部材２に回動自在に、且つレバー受け部材１０の方向に付勢されて軸支されるカンヌキレバー６と、このカンヌキレバー６の回動軌道中に配置され、この軌道と直角方向に扉Ｘ側に付勢された状態で中間部で軸支され、扉の開閉に連動してカンヌキレバー６の軌道を遮断／開通するストッパー突起１２１を後端に有し、先端には他方の扉Ｙに当たる接触子１３を有するカンヌキレバー抑止部材１２とを備えていて、
レバー受け側カンヌキ錠１００は、他方の扉に取り付けられるカンヌキレバー受け
取付部材１１と、把手9を備えたカンヌキレバー受け部材１０とからなり、
扉が閉じている状態で、把手７を回動して、カンヌキレバー６がストッパー突起１
２１を過ぎったら扉Ｘを手前に引いて開くとストッパー突起１２１が競り上がって
カンヌキレバー６のストッパーとなってその戻り軌道を塞ぎ、扉Ｙを閉めた後に扉Ｘ
を閉めると、接触子１３が扉Ｙに当たり押し戻されることによってストッパー突起１
２１が下がってカンヌキレバー６の戻り軌道のストッパーが解除されてカンヌキレバ
ー６が戻り軌道を通ってカンヌキレバー受け部材１０内に自動的に納まるように構成したセルフロック式カンヌキ錠である。なお、カンヌキレバー受け部材１０の先端部は、外側に向かって曲面状となっていて、カンヌキレバー６を収めやすくしてある。
【０００５】
また、第二の考案は第一の考案にレバー側カンヌキ錠１及びレバー受け側カンヌキ錠１００の取付け位置とそのときの接触子１３の位置を示す取り付け位置補助台紙５０を加えて構成したセルフロック式カンヌキ錠である。
【考案の効果】
【０００６】
以上の説明から明らかなように、本考案にあっては次に列挙する効果が得られる。
１．食器用戸棚等収容物の出し入れに際しその都度扉の開閉に手間が省け、省力化になる。
２．常に施錠が肉眼で確認できる。
３．不意の地震にも対応できる。
４．構造が簡単であり、操作も容易である。
５．戸棚の不使用時は常に施錠されているため不意の地震時にも対応でき安心である。
【考案を実施するための最良の形態】
【０００７】
本考案のセルフロック式カンヌキ錠は、観音開き式の扉に使用されるもので、カンヌキ錠となるレバーを取り付ける側の扉が（本実施例では向かって右側の扉）定位置に納まってレバーがカンヌキ錠として機能している扉閉状態のときに、把手をばね力に抗して右に約９０度回動した状態で扉を開くと、扉が開き始める初動の数ミリメートルの間に連動してレバーの戻りを規制するストッパーが動作して、杷手から手を放してもレバーがストッパーで拘束されて、レバーは扉を開く操作に支障の無い位置（９０度よりやや小さな角度）に停止している。
【０００８】
そして、扉を閉める際で、扉が閉まりきる最後の数ミリメートルの位置に来るとレバーのストッパーが解除されてレバーはばねの力で自動的にカンヌキ錠となる定位置に戻り、扉はカンヌキ錠の掛かった閉状態になる構造にしたものである。
【０００９】
以下、図１ないし図６に基づいて本考案を実施するための最良の第一の実施の形態を説明する。
【００１０】
図において、Ｘは観音開き扉の向かって右側に位置する右扉で、Ｙは向かって左側に位置する左扉であり、１は右扉Xに取り付けられたレバー側カンヌキ錠であり、１００は左扉Yに取り付けられたレバー受け側カンヌキ錠であり、５０はこれらの両セット品を左右の扉に取り付ける為の位置を示す取り付け位置補助台紙であり、これらがセットとなってセルフロック式カンヌキ錠を構成している。
【００１１】
レバー側カンヌキ錠のセット１の主要部品は、レバー取付金具２と、レバー抑止金具１２と、カンヌキ錠となるカンヌキレバー６と、把手７とである。
【００１２】
レバー取付金具２は、その上部と下部とに右扉Xへの取り付用の孔２０４が設けられていて、上部左側には垂直に立ち上がったフランジ２０１が形成されていて、このフランジ２０１にはKレバー抑止金具１２を付勢するＬＣバネ４０２の一端を係止するバネ係止孔２０２が設けられ、ＬＣストッパー３、ＬＣ軸４が植立される。
【００１３】
また右側中央部やや上にカンヌキレバー６の右回転限界となるＬストッパ５が植立され、下部には中央に孔を有する台座２０３が数ミリメートルほどの高さで押し出し形成されていて、その近傍にはカンヌキレバー６を付勢するＬバネ１６の一端を係止するバネ係止片２０６が設けられている。
【００１４】
レバー抑止金具１２は、上部に接触子１３の挿入穴１３１に嵌って接触子１３を固定する凸部１２３と、ＬＣストッパー３に当たる凹部１２２と、中央部やや下方に回動の中心となるＬＣ軸４に挿通されてその回動中心となる回動孔１２５と、その近傍にＬＣバネ４２の一端部を係止するバネ係止孔１２４と、下端部にカンヌキレバー６の回動を抑止するストッパ突起１２１とが形成されていて、ＬＣスペーサ４１、ＬＣバネ４２と共にＬＣ軸４によってフランジ２１に回動自在に固定されている。
【００１５】
ＬＣバネ４０２の１端はバネ係止孔２０２に、他端はバネ係止受け孔１２４に掛けられて、ＬＣレバー１２を常に扉側に付勢するように働いていて、レバー抑止金具１２はその凹部１２２がＬＣストッパー３に当たって停止している。
【００１６】
この状態では（右扉Ｘが開かれて、接触子１３が左扉Ｙから離れた状態に相当する位置）ストッパ突起１２１はフランジ２０１から飛び出した状態となっていて、カンヌキレバー６はこのストッパ突起１２１に邪魔されて回動を抑制（停止状態）される。
【００１７】
逆にこのときの頭側にある接触子１３はレバー取付金具２の右扉Ｘへの取り付け面よりも数ミリメートル飛び出した状態となっていて、この飛び出した量を押し戻すと（右扉Ｘが閉まり、接触子１３が左扉Ｙの表面に接触して押し戻されている状態に相当する）ストッパ突起１２１はフランジ２０１より低い位置に収まり、カンヌキレバー６はこのストッパ突起１２１の邪魔を受けずに回動可能となる。
【００１８】
カンヌキレバー６は、先端部に半円切欠き６０１、後端部に長孔６０３とその近傍にバネ係止片６０２とを備えていて、長孔６０３にレバー固定特殊ネジ１５の角座部１５１を嵌め合わせてその先のネジ部１５２を右把手７のお尻にねじ込んでサンドイッチ状態になって固定される。
【００１９】
この固定した組み立て品にレバーバネ１６を取り付けて、台座２０３に載せて、この台座２０３の裏側からレバー軸特殊ネジ１４の丸座部１４１を台座の軸受け孔２０５に嵌め込んでネジ部１４２を固定特殊ネジ１５のお尻にねじ込んでしっかり固定する。なお、丸座部の高さは台座の厚さよりも大き名寸法になっているので、回転軸と軸受けの関係が成立していて、カンヌキレバー６は把手７の回動と連動して回動可能な状態となっている。
【００２０】
レバー受け側カンヌキ錠１００は、上下部にある取付け孔１１１を使って左扉Ｙに取り付けらるＫレバー受金具取付板１１と、このＫレバー受金具取付板１１のネジ孔１１２に孔１１３を使って取り付けられるＫレバー受金具１０と、このＫレバー受金具１０のネジ孔１１４にレバー受軸８の先端に設けられているネジ８１を使って取り付けられる左把手９とからなっている。
【００２１】
接触子０１３は付属品であり、標準の接触子１３との違いは左扉Ｙに当接する先端部が装着穴０１３１から数ミリメートルの偏芯量δを以って偏芯していることである。                    
この偏芯量δを有する付属品の接触子は色々な種類の扉に適応可能なようにレバー抑止金具１２の凸部１２３に１８０度回転させて取付けることができるようにされているので、その偏芯量をレバー抑止金具１２の左右に振り分けることができる。
【００２２】
図６に示す取り付け位置補助台紙５０は透明の素材からなり、本考案を既存の観音扉に取り付ける場合に使用する取付け治工具で、この治工具上ににはレバー取付金具２と、Kレバー受金具取付板１１との取付け位置が指示されていて、この指示位置に両部材を置いたときに、接触子１３の位置が確認できるようにしてあって、それらの内のいずれかの位置に取り付け上の問題（取り付け位置がテーパー部であるとか、扉のガラス部に掛かってしまうとかの不都合な問題点）がある場合にその位置を調整し易いようにした、いわゆる取付け用の海図である。
【００２３】
５１は、開閉扉中心線であり、その両側にδ量の間隔を設けてＸ扉調整中心線５１Ａ、５１Ｂ、５１Ｃと、Ｙ扉調整中心線５１ａ、５１ｂ、５１ｃをそれぞれ対にして点線で示した台紙であり、更にこの台紙には、レバー取付金具２及びＫレバー受金具取付板１１が配置される位置を、レバー取付金具２＆把手位置指示線５３（その取付けネジ位置をレバー取付金具２取付け位置孔５２、５２で示している）、及びＫレバー受金具取付板１１＆把手位置指示線５５ (その取付けネジ位置をＫレバー受金具取付板１１取付け位置孔５４、５４で示している) とで示してあり、その位置に両部品が配置されたときに接触子１３（又は０１３）が左扉Ｙに当たる領域を位置範囲指示孔５６で示してある。
【００２４】
以下に、取り付け手順を示す。
１．既存の把手を取り外す。
２．右把手７（又は、左把手９）の高さ位置が、外した把手位置に来るように位置補助台紙５０を右扉Ｘにあてて、接触子１３、０１３位置範囲指示孔の位置に問題が無いかどうかを確認し、問題が無ければレバー取付金具２取付け位置孔５２、５２を右扉Ｘにマーキングし、そのときの開閉扉の中心線の位置を取り付け位置補助台紙５０に開閉扉中心線としてマーキングする。
３、この開閉扉中心線としてマーキングした位置を開閉扉中心線５１と対称の位置に左扉Ｙの中心線位置として取り付け位置補助台紙５０にマーキングする。
４、この左扉Ｙの中心線位置として取り付け位置補助台紙５０にマーキングしたラインを開閉扉の中心にあわせて、Ｋレバー受金具取付板１１＆把手位置指示線５５の位置に問題が無いかどうかを確認し、問題が無ければ、その取付けネジ位置（Kレバー受金具取付板１１取付け位置孔５４、５４）を左扉Ｙにマーキングする。
５、左右の扉のマーキングした位置にそれぞれの部品を取り付ける。
６、カンヌキレバー６の半円切欠き６０１部が、レバー受軸８に収まるように長孔６０３を有効に使って調整する。
７、接触子として標準の接触子１３を使うのか、付属品の接触子０１３を使うのかを選択する。  
【００２５】
以下に扉の開き方を示す。
１、右把手７を手で右に廻し、カンヌキレバー６がＬストッパー５に当たったら、右把手７を手前に引く。
２、その結果、接触子１３が左扉Ｙから離れるとＫレバー抑止金具１２がＬＣバネ４０２の付勢力で扉側に回転して、ＬＣストッパー３に当たって止まり、ストッパー突起１２１がフランジ２１より高く競り上がる。
３、右把手７から手を離すとカンヌキレバー６はレバーバネ１６の付勢力で戻ろうとするが、競り出したストッパー突起１２１に当たって止まる。
【００２６】
次に扉の閉め方を説明する。
１、左扉Ｙを閉める。
２、開いている右扉Ｘを閉める方向に軽く押す（勿論、手で誘導してもよい）。
３、接触子１３が左扉Ｙに当たるとＬＣバネ４０２の付勢力に抗して押され、Kレバー抑止金具１２のお尻にあるストッパー突起１２１がフランジ２０１より低くなり（ストッパーが解除された状態）、カンヌキレバー６がＫレバー受金具１０の位置に戻されて、カンヌキ錠が掛かった状態になる。即ち、カンヌキ錠がセルフロックされる。
【産業上の利用可能性】
【００２７】
本考案は、錠を作る産業で利用される。
【図面の簡単な説明】
【００２８】
【図１】本考案を取り付けた観音扉閉時の斜視図。
【図２】本考案を取り付けた観音扉開時の斜視図。
【図３】本考案のレバー受け側カンヌキ錠の分解斜視図。
【図４】本考案のレバー側カンヌキ錠の分解斜視図。
【図５】付属品である接触子の斜視図。
【図６】本考案を観音扉に取り付る補助具となる取り付け位置補助台紙の正面図。
【符号の説明】
【００２９】
Ｘ  右扉 
Ｙ  左扉
１  レバー側カンヌキ錠
１００  レバー受け側カンヌキ錠
２  レバー取付金具
２０１  フランジ  
２０２  バネ係止孔
２０３  台座  
２０４  固定孔
２０５  軸受け孔
２０６  バネ係止孔
３  ＬＣストッパー
４  ＬＣ軸
４０１  ＬＣスペーサ
４０２  ＬＣバネ
５  Ｌストッパー
６  カンヌキレバー
６０１  半円切欠き
６０２バネ係止孔
６０３  長孔
７  右把手
８  レバー受軸
８１  ネジ部
９  左把手
１０  Ｋレバー受金具
１１  Ｋレバー受金具取付板
１１１  取付け孔
１１２  ネジ孔
１１３  孔  
１１４  ネジ孔
１２  Ｋレバー抑止金具
１２１  ストッパー突起
１２２  凹部
１２３  凸部
１２４  バネ係止受け孔
１２５  回動軸受
１３、０１３  接触子
１３１、０１３１  装着穴
δ  偏芯量
１４  レバー軸特殊ネジ
１４１  丸座部
１４２  ネジ部
１５  レバー固定特殊ネジ
１５１  角座部
１５２  ネジ部
１６  レバーバネ
５０  取り付け位置補助台紙
５１  開閉扉中心線
５１Ａ、５１Ｂ、５１Ｃ  Ｘ扉調整中心線
５１ａ、５１ｂ、５１ｃ  Ｙ扉調整中心線
５２  レバー取付金具２取付け位置孔
５３  レバー取付金具２右＆把手位置指示線
５４  Ｋレバー受金具取付板１１取付け位置孔
５５  Ｋレバー受金具取付板１１＆把手位置指示線
５６  接触子１３、０１３位置範囲指示孔  
【図１】
0003138479.tif 000003
【図２】
0003138479.tif 000004
【図３】
0003138479.tif 000005
【図４】
0003138479.tif 000006
【図５】
0003138479.tif 000007
【図６】
0003138479.tif 000008